(57)【要約】【課題】ゴミ廃棄時に手を汚さず排水口から容易に取り出し、収納したゴミごと廃棄可能なゴミ収納袋を提供する。【解決手段】シンク排水口上縁部に形成されている肩段差部に嵌め込んで使用する、焼却時に有害ガスを発生させない材質で作成されたゴミ収納袋であって、蓋部と、収納袋を肩段差部で支持するために円周縁部と、円周縁部に取り付けた取っ手部とを設け、蓋部と円周縁部と取っ手部とを一体的に結合することにより、取っ手部を摘んで持ち上げることにより、ゴミを収容した状態でゴミ収納袋ごと廃棄することが出来るようにした。【選択図】図１
2008110873.tif 000002
【特許請求の範囲】
【請求項１】
シンク排水口上縁部に形成されている肩段差部に嵌め込んで使用する、焼却時に有害ガスを発生させない材質で作成されたゴミ収納袋であって、
シンク排水口上縁部の内径に沿った円板状であってゴミが流入するための開口が形成された蓋部と、
蓋部を肩段差部で支持するために蓋部の外周に沿って立設された円周縁部と、
円周縁部の下部に取り付けたゴミを収納するための通水性を有する袋部と、
シンクの底面より上方に突出するように蓋部または円周縁部に形成された取っ手部と
が一体的に結合され、
取っ手部を摘んで持ち上げることにより、ゴミを収容した状態でゴミ収納袋ごとシンク排水口から取り外して廃棄出来ることを特徴とする、
ゴミ収納袋。
【請求項２】
シンク排水口上縁部に形成されている肩段差部に嵌め込んで使用する、焼却時に有害ガスを発生させない材質で作成されたゴミ収納袋であって、
開口部がシンク排水口上縁部の内径に沿った円形状であって肩段差部で支持するための円周縁部が開口部の外周に接合された通水性を有する袋部と、
シンクの底面より上方に突出するように円周縁部に形成された第１の取っ手部と、
シンク排水口上縁部の内径に沿った円板状であってゴミが流入するための開口が形成され、裏面に袋部の開口部と嵌め合う断面が円形状の側板が立設された蓋部と、
シンクの底面より上方に突出するように蓋部に形成された第２の取っ手部と、
で構成され、
第２の取っ手部を摘んで蓋部のみを取り外すことができ、
第１の取っ手部を摘んで持ち上げることにより、ゴミを収容した状態でゴミ収納袋ごとシンク排水口から取り外すことが出来ることを特徴とする、
ゴミ収納袋。
【発明の詳細な説明】
【技術分野】
【０００１】
本発明は、一般家庭やオフィス、店舗等で使用されるシンクの排水口に取り付け、ゴミを収納し可燃ゴミとして廃棄する使い捨てゴミ収納袋に関するものである。
【背景技術】
【０００２】
図３に示すように、台所用などのシンクの一般的な排水口８には、流入する生ゴミ等を収納する金属製の捕集カゴ７が嵌め込まれ、流入した内部のゴミを覆い隠すため、捕集カゴ７の上部に排水口蓋６（例えば、菊割りゴム）を嵌め込むようになっている。そのため、捕集カゴ７内に収納されたゴミを捨てる時には、排水口蓋６を外し、捕集カゴ７を取り出して収納されたゴミだけを取り出して廃棄しなければならず、手を汚しがちである。また、排水口蓋６や捕集カゴ７には雑菌の繁殖によるぬめりやカビが発生するので定期的に清掃しなければならず、清掃の際には不潔感や不快感を禁じ得ない。
【０００３】
この問題を改善するために、排水口蓋とゴミ収納袋とを一体化させたゴミ収納袋を排水口に取付けてゴミを収納し、廃棄時には収納したゴミごと廃棄する使い捨てゴミ収納袋が提案されている（特許文献１〜特許文献４）。
【０００４】
特許文献１は、ゴミ収納袋の上部に放射状の切れ込みを入れたフラットで円形状のゴミ収納袋蓋を押さえリングで固定したゴミ収納袋蓋付きゴミ収納袋が開示されている。特許文献１で開示されている態様によれば、ゴミ収納後に蓋付きゴミ収納袋ごとゴミを廃棄することが可能であるが、ゴミ廃棄の際にフラットなゴミ収納袋蓋を手で持ち上げなければならず、手を汚すことは避けられない。ゴミ収納袋全体をシンクの凹部溝に落とし込んで使用する場合には、さらに取り出しが面倒で手を汚すことになる。一方、ゴミ収納袋蓋をシンクの凹部溝に落とし込まずに、シンク排水口を覆うような大きさにすると、蓋自体や押さえリングが水やゴミの流れを阻害する。また、開示されているゴミ収納袋蓋はフラットで厚さも比較的薄い形状であり、流水や収納したゴミの重量を支えるためには強度的に不安が残る。
【０００５】
特許文献２に開示されている流し台用ゴミかごは、基本的には特許文献１に開示されている態様と類似しているが、ゴミ廃棄時にシート状本体（蓋部）を折り曲げて内容物が外に出ないようにして廃棄する点や、シート状本体の外周部にシンク排水口凹部より取り出し易くするための一対の摘み用突片が設けられており、特許文献１に開示されている態様よりはシンクからの取り出し易さに配慮されている。但し、シート状本体がフラットで厚さも比較的薄い形状である点で、特許文献１で開示されている態様と同様に、流水や収納したゴミの重量を支えるための強度に不安が残る。
【０００６】
特許文献３に開示されているダストパックは、菊型パッキン（排水口蓋）とダストパック（ゴミ収納袋）とを一体的に組み合わせたもので、菊型パッキンの外周部に一対の把手を取付け、ダストパックをシンク排水口から取り出しやすくした点では特許文献２と類似している。しかし、特許文献３に開示されているダストパックは、図３に示されるように、捕集カゴの中にセットして用いるものであり、捕集カゴなしに排水口にセットして、流水や収納したゴミの重量を支えるための構成は考慮されていない。
【０００７】
特許文献４に開示されている流し台用ゴミ容器は、菊状パッキンに相当する扇状片が形成された円形の皿状部とその外周を囲む環状外周部とで構成された上部体（蓋部に該当）と、上部体から吊り下げられた網袋状のゴミ収容部とで構成されている。そして、上部体の厚みの部分（環状外周部の高さ）が排水口上部に設けられた段差にセットできるようになっているので、セットしたゴミ容器の上部が排水口の底部から突出することなく、また、特許文献１乃至３に開示されている構成に比べ、流水の影響や収納したゴミの重量を支えるための強度について配慮された構成となっている。しかし、特許文献４に開示されているゴミ容器では、ゴミ廃棄時にゴミ容器を排水口からどのように取り出すかについての記載がなく、排水口に嵌めこまれているゴミ容器を簡単に手を汚さずに取り出すのはむずかしいと思われる。
【０００８】
【特許文献１】特開平８−３１０６０３号公報
【特許文献２】特開平５−２８６５０１号公報
【特許文献３】実用新案登録第３０９８４０７号公報
【特許文献４】特開２００６−２９１５７７号公報
【発明の開示】
【発明が解決しようとする課題】
【０００９】
本願発明の課題は、ゴミ廃棄時に手を汚さずに排水口から容易に取り出し可能であり、流水や収納したゴミの重量で変形したり破損したりせず、排水口を衛生的に保つことができる使い捨てゴミ収納袋を提供することである。さらに、ゴミ収納袋中に生ゴミ以外のものを落下させた場合に取り出しが容易にでき、ゴミ収納袋の目詰まりを防止できる使い捨てゴミ収納袋を提供することである。
【課題を解決するための手段】
【００１０】
本発明によるゴミ収納袋は、シンク排水口上縁部に形成されている肩段差部に嵌め込んで使用する、焼却時に有害ガスを発生させない材質で作成されたゴミ収納袋であって、シンク排水口上縁部の内径に沿った円板状であってゴミが流入するための開口が形成された蓋部と、蓋部を肩段差部で支持するために蓋部の外周に沿って立設された円周縁部と、円周縁部の下部に取り付けたゴミを収納するための通水性を有する袋部と、シンクの底面より上方に突出するように蓋部または円周縁部に形成された取っ手部とが一体的に結合されることにより、取っ手部を摘んで持ち上げることにより、ゴミを収容した状態でゴミ収納袋ごとシンク排水口から取り外して廃棄出来るようにした。
【００１１】
また、本発明のもう一つの態様によるゴミ収納袋は、シンク排水口上縁部に形成されている肩段差部に嵌め込んで使用する、焼却時に有害ガスを発生させない材質で作成されたゴミ収納袋であって、開口部がシンク排水口上縁部の内径に沿った円形状であって肩段差部で支持するための円周縁部が開口部の外周に接合された通水性を有する袋部と、シンクの底面より上方に突出するように円周縁部に形成された第１の取っ手部と、シンク排水口上縁部の内径に沿った円板状であってゴミが流入するための開口が形成され裏面に袋部の開口部と嵌め合う断面が円形状の側板が立設された蓋部と、シンクの底面より上方に突出するように蓋部に形成された第２の取っ手部と、で構成されることによって、第２の取っ手部を摘んで蓋部のみを取り外すことができ、第１の取っ手部を摘んで持ち上げることにより、ゴミを収容した状態でゴミ収納袋ごとシンク排水口から取り外して廃棄出来るようにした。
【発明の効果】
【００１２】
本発明によるゴミ収納袋は、紙・木材・再生材・植物繊維等の焼却時に有害ガスを発生しない材質で作成されており、片手で取っ手部を摘むことにより簡単に排水口からゴミを収納した状態で取り出すことができるので、ゴミ収納袋ごと廃棄することができ、廃棄する際に手を汚すことなくゴミ処理に伴う不快感を軽減させるとともに、ゴミ収納袋のセットも容易である。ゴミ収納袋の円周縁部が立体的梁構造をなしているため、フラットな形状の蓋に比べ強度が優れており、流水や収納したゴミの重量で変形したり、廃棄時に破損したりすることがない。また、単独の取っ手部を摘むことによりゴミ収納袋の取り外しが可能であるのは、取っ手部と一体に結合されている円周縁部がゴミ収納袋の形状を保持できるからである。なお、円周縁部に塩素を含浸させることにより、排水口の汚れやカビを防止することができる。
【００１３】
一方、蓋部を袋部と分離させることにより、小さな食器等をゴミ収納袋内に落とし込んでしまった時には簡単に取り出すことが可能となる。
【００１４】
袋部には、上部に大きな孔を間隔を空けて設け、下部に水切り用の小さな孔を密接して設けるようにして、水の逆流防止と通水性を確保することができる。
【発明を実施するための最良の形態】
【００１５】
本発明は、排水口に取付けたゴミ収納袋に収納したゴミを廃棄するときに、排水口蓋とゴミ収納袋とを、ワンタッチで一体的に簡単に取り出すようにし、さらに、排水口蓋とゴミ収納袋の材質を、紙・木材・植物繊維・再生材等の焼却時に有害ガスを発生しない材質とすることで、ゴミを収納したまま一体的に廃棄できるようにしたものである。以下、図面を参照して、本発明を実施するための形態について説明する。
【００１６】
＜第１の実施の形態＞
本発明による第１の実施の形態を、図１および図２に基づいて説明する。図１に示すように、第１の実施の形態によるゴミ収納袋１は、ゴミが流入するための開口を形成した蓋部２と、ゴミを収納するための袋部３と、ゴミ収納袋をシンク排水口８内に保持するための支持部材となる円周縁部４と、ゴミを廃棄するときにゴミ収納袋１をシンク排水口８から取り出すために摘む取っ手部５とで構成されている。
【００１７】
蓋部２は、シンク排水口８の上縁部の内径に沿った円板状の蓋であり、中央部分には、ゴミが流入するための開口が形成されている。蓋部２の開口は、ゴミを容易に投入できあるいは容易に流入できると共に、内部に収納されたゴミが見えにくいような形状に形成されている。図１に示されている蓋部２の開口は菊割りの形状をしており、各菊割片２ａはゴミが流入しやすいように中心に向かって適当な角度で傾斜を持たせている。傾斜を形成する曲げ部分は繊維を切断することのない圧縮加工による凹溝が施されている。
【００１８】
円周縁部４は、図２で示すように、蓋部２の裏面に、蓋部２の外周に沿って立設された断面が円状の側板であり、シンク排水口８の上縁内部に形成されている肩段差部９に蓋部２を嵌め込んだときに、蓋部２がほぼシンク底面１０とフラットになるような高さに設定されている。円周縁部４は、蓋部２をシンク排水口８の上縁部に形成されている肩段差部９で支持するために、いわば蓋部２を支持する立体形状の梁として機能する。図２に示すように、円周縁部４は、蓋部２の外周に沿って立設された側板の内側にさらにもう１枚の側板を張り合わせるようにして二重にすれば、より保持力を高めることができる。
【００１９】
袋部３は、ゴミを収納するとともに、シンクからの排水を通過させ、ゴミを廃棄するときには水切りが出来るように、網状の材料あるいは多数の孔を打ち抜いたシートで作成することによって通水性を備えている。袋部３は、その上縁部を円周縁部４の下部に接着剤等で接合することによって、蓋部２と一体化されている。
【００２０】
取っ手部５は、蓋部２又は円周縁部４と一体的に形成されており、ゴミ収納袋１をシンク排水口８にセットしたとき、取っ手部５がシンクの底面より突出するように蓋部２の外周部分に上方に向かって形成されている。そして、ゴミを廃棄するときに、取っ手部５を持ち上げることによって、ゴミ収納袋１をシンク排水口８から簡単に取り出すことができるようになっている。取っ手部５は、指二本でつまみやすいように、例えば半円形の形状をなしている。取っ手部５がシンクの側面側に来るようにゴミ収納袋をシンク排水口８にセットするようにすれば、取っ手部５がシンク底面１０から突出していても、食器や野菜の洗浄等シンクでの作業に邪魔になることはない。なお、取っ手部５の一ヶ所を持ってゴミ収納袋１をゴミを収納したまま取り出し可能であるのは、取っ手部５と一体化された円周縁部４（取っ手部５が蓋部２と一体化された形態であっても、蓋部２が円周縁部４と一体化される結果的に取っ手部５は円周縁部４に一体化される）により収納袋１の形状を保持できるからである。
【００２１】
蓋部２と、袋部３と、円周縁部４と、取っ手部５とは、焼却時に有害ガスを発生させない、紙、再生紙、植物性繊維などの材質で作られている。従って、ゴミ収納袋１にゴミを収納しそのまま廃棄することが可能である。ゴミ収納袋１は、シンクで洗い物等をおこなうときの水が常時通過するので、吸水による変形や破れがあってはならない。しかしながら、ゴミ収納袋１は生ゴミを収納するので、通常１日に１回あるいは長くても２日に１回は廃棄して新しいものと交換する。従って、耐水性については、３〜４日のシンクにおける通常の水の使用に耐えられれば充分である。本願発明者は、実験の結果、例えば、適正な紙材質、紙厚を選択することにより、吸水しても一定期間蓋部２の傾斜が保持されることを確認した。適正な紙材質とは、例えば、比較的安価な板紙であり、適正な紙厚とは、例えば１ｍｍ乃至２ｍｍである。
【００２２】
＜第２の実施形態＞
第１の実施形態によるゴミ収納袋は、手を汚すことなく簡単にゴミを収納したまま廃棄でき、交換作業もきわめて容易であるが、シンクで洗い物等をしていて小さめの食器、たとえばスプーンやフォークなどをゴミ収納袋内に落としこんでしまった場合に、これらの食器を取り出しにくいのが若干問題である。また、袋部３については、目詰まりの防止についてさらに改良の余地がある。これらの点を考慮した本願発明の第２の実施形態について、図４を用いて説明する。
【００２３】
第２の実施形態によるゴミ収納袋１１は、図４（ａ）（ｂ）に示すように、ゴミが流入するための開口を形成した蓋部１２と、ゴミを収納するための袋部１３と、ゴミ収納袋を排水口８の肩段差部９（図２参照）で保持するために袋部１３の上縁部に取り付けた円周縁部１４とで構成され、蓋部１２と円周縁部１４には、ゴミを廃棄するときにゴミ収納袋を排水口８から取り出すために摘む取っ手部１２ａと１４ａとがそれぞれ一体的に形成されている。
【００２４】
図４（ｂ）に示すように、蓋部１２は、第１の実施形態とは異なり、袋部１３に一体的に結合されているのではなく、蓋部１２を取り外し可能になっている。そして、蓋部１２を袋部１３にセットしたときにガタつかないように、蓋部１２の裏面には、袋部１３の内周に嵌合する断面が円形の側板１２ｂが立設されている。蓋部１２には、ゴミが流入するための開口が形成されている。第２の実施の形態では、蓋部１２の開口は、蓋部１２の直径の略２分の１程度の中心円とその外側の同心円と間のスペースを、直径を中心として左右対称に扇形に切り込みをいれ、さらに扇形の外側に向かって放射状に複数本の切れ込みを入れて形成された各切片を傾斜をつけるために約１０°程度の角度に下向きに折り込んである。第１の実施の形態に示した菊割型の開口では、ネギの皮などの軽量のゴミが流入しにくい傾向があるので、軽量のゴミでも袋部１３に流入しやすい形状を追及した結果、第２の実施の形態のような開口の形状がよりゴミの流入が良好であることがわかった。なお、第２の実施の形態による開口の形状であると、大きめのゴミがやや流入しにくい傾向があるかもしれないが、蓋部１２を簡単に取り外すことが出来るので、大きめのゴミは蓋部１２を取り外して袋部１３に投入すればよい。
【００２５】
蓋部１２の取っ手部１２ａは、蓋部１２の外周寄りの位置に設けられている。取っ手部１２ａは、例えば、側板１２ｂの一部を伸張させることにより形成されており、蓋部１２に形成された孔に取っ手部１２ａを貫通させて側板１２ｂを蓋部１２に接合することにより、取っ手部１２ａと蓋部１２とを一体化させることができる。取っ手部１２ａは、蓋部１２の取り外し及び嵌め込みのみに使用されるものなので、指で摘むことが可能な最低限の大きさであればよい。
【００２６】
袋部１３は、多数の孔を打ち抜いたシートで作成され、通水性を保持しながらゴミを収納するようになっている。袋部１３の開口部（シンク排水口８への取付け側）は、シンク排水口８上縁部の内径に沿った円形状をなしている。第２の実施の形態による袋部１３は、小さなゴミで目詰まりをおこし、その状態でシンクから大量の水が流れ込んだときに、シンクへ逆流するのを防止するために、上部に逆流防止のための比較的大きな孔１３ａを間隔を空けて設け、下部に水切り用の小さな孔１３ｂを密接して設けるようにした。発明者による実験では、逆流防止のための大きな孔１３ａは、例えば等間隔に４個を設け、その直径を１０ｍｍとし、小さな孔１３ｂの直径を１．５ｍｍとした場合、逆流防止とスムーズな水切りに良好な結果を得た。
【００２７】
円周縁部１４は、袋部１３の円形状の上縁部の外周にぐるりと接合された側板であり、シンク排水口８の上縁内部に形成されている肩段差部９に袋部１３を嵌め込んだときに、円周縁部１４により肩段差部９で袋部１３を支持できるようになっている。円周縁部１４の高さは、袋部１３がシンク底面１０よりやや低めになるような高さに設定されているので、蓋部１２を袋部１３にセットしてシンク排水口８に嵌め込んだときに、蓋部１２がシンク底面１０とほぼフラットになるようなに設定されている。円周縁部１４には、ゴミ収納袋１１全体をシンク排水口８から持ち上げて廃棄するために摘む取っ手部１４ａが一体的に形成されている。取っ手部１４ａは、ゴミを収納したままゴミ収納袋１１を持ち上げるために、想定される重さに対する強度を保つとともに摘みやすくするために蓋部２の取っ手部１２ａよりは幅高さ共に大きく設定されている。
【００２８】
第２の実施の形態によるゴミ収納袋１１も、第１の実施の形態と同様に、蓋部１２と、袋部１３と、円周縁部１４と、取っ手部１４ａ、１５aとが、焼却時に有害ガスを発生させない、紙、再生紙、植物性繊維などの材質で作られているので、ゴミ廃棄時には、取っ手部１４ａを摘むことにより、ゴミ収納袋１１を手を汚すことなく簡単にゴミを収納したまま廃棄でき、交換作業もきわめて容易である。
【００２９】
さらに、使い捨てのゴミ収納袋であれば、利用者は複数まとめてストックしておくのが通常であるが、第１の実施形態によるゴミ収納袋１は一体型であるため、ストックしておくのにスペースをとってしまう。これに対して、第２の実施形態によれば、蓋部１２と袋部１３とが分離しているために、それぞれ重ねてストックしておくことが出来、収納スペースをとらないという利点がある。
【００３０】
なお、第１及び第２の実施の形態において、円周縁部４または１４に液体塩素を含浸させて乾燥させてからシンク排水口８に取り付けて実験したところ、通常の使用では、ゴミを廃棄した後のシンク排水口８では、肩段差部９に汚れ（ヌメリ）が残り、水で流しても流しきることができなかったのに対し、ゴミ廃棄後肩段差部９に水をかけると汚れがきれいに流失した。従って、円周縁部に塩素を含浸させて用いれば、シンク排水口８の汚れ防止にきわめて効果的であることがわかった。
【図面の簡単な説明】
【００３１】
【図１】第１の実施の形態によるゴミ収納袋を示す斜視図である。
【図２】第１の実施の形態によるゴミ収納袋の使用状態を示す断面図である。
【図３】シンク排水口の構造を示す断面図である。
【図４】第２の実施の形態によるゴミ収納袋を示す斜視図であり、（ａ）は蓋部を嵌め込んだ状態、（ｂ）は蓋部を外した状態で示している。
【符号の説明】
【００３２】
１、１１  ゴミ収納袋
２、１２  蓋部
３、１３  袋部
４、１４  円周縁部
５、１２ａ、１４ａ  取っ手部
【図１】
2008110873.tif 000003
【図２】
2008110873.tif 000004
【図３】
2008110873.tif 000005
【図４】
2008110873.tif 000006